(57)【要約】【課題】テレビジョン放送受信装置と情報端末とを連携する。【解決手段】情報端末が実行する処理は、テレビジョン放送受信装置に設定情報を要求するステップ（Ｓ２１５）と、同一チャンネルが視聴されていない場合に（ステップＳ２３０にてＮＯ）、情報端末のチャンネルをテレビジョン放送受信装置のチャンネルに合わせて同一チャンネルの映像を受信するステップ（Ｓ２３５）と、テレビジョン放送受信装置の設定と同じ設定を行なうステップ（Ｓ２４５，Ｓ２５５，Ｓ２６５，Ｓ２７５）と、情報端末の映像とテレビジョン放送受信装置のチャンネルの映像とを合成するステップ（Ｓ２８０）と、合成で得られた映像信号をテレビジョン放送受信装置に出力するステップ（Ｓ２８５）とを含む。【選択図】図２
2013017122.tif 000002
【特許請求の範囲】
【請求項１】
情報端末であって、
テレビジョン放送受信装置と通信するための通信手段と、
デジタル放送を選択的に受信するための選局部と、
画像を表示するための表示装置と、
前記情報端末の動作を制御するための制御部とを備え、
前記制御部は、
前記テレビジョン放送受信装置から受信した情報から、前記テレビジョン放送受信装置において選局されているチャンネル情報を取得するためのチャンネル情報取得手段と、
前記チャンネル情報に基づくデジタル放送を前記選局部に選択させるための受信制御手段と、
前記選局部の選択によって受信されたデジタル放送と、前記表示装置に表示されている画像とを合成するための合成手段とを含み、
前記通信手段は、前記合成手段によって生成された画像を前記テレビジョン放送受信装置に送信する、情報端末。
【請求項２】
前記制御部は、前記テレビジョン放送受信装置によって送られる情報から、前記テレビジョン放送受信装置で設定されている動作モードを取得するための動作モード取得手段をさらに含み、
前記合成手段は、前記動作モードに基づいて、前記デジタル放送と前記画像とを合成する、請求項１に記載の情報端末。
【請求項３】
前記選局部は、複数のチューナを含み、
前記受信制御手段は、前記複数のチューナの各々にデジタル放送を受信させ、
前記合成手段は、各チューナによって受信されたデジタル放送の各映像と、前記画像とを合成する、請求項１または２に記載の情報端末。
【請求項４】
前記選局部は、字幕データを有するデジタル放送を受信可能であり、
前記合成手段は、前記字幕データを含む映像と、前記画像とを合成する、請求項１〜３のいずれかに記載の情報端末。
【請求項５】
前記情報端末において設定されている端末情報を格納するための記憶手段をさらに備え、
前記通信手段は、前記端末情報を前記テレビジョン放送受信装置に送信する、請求項１〜４のいずれかに記載の情報端末。
【請求項６】
前記端末情報は、前記情報端末において選択されているチャンネル、映像の表示モードまたは音量レベルの少なくともいずれかを含む、請求項５に記載の情報端末。
【請求項７】
テレビジョン放送受信装置であって、
テレビジョン放送を受信するための選局部と、
前記テレビジョン放送受信装置に対する指示を受け付ける指示入力部と、
前記テレビジョン放送受信装置において設定されている動作モードを格納するための記憶部と、
前記テレビジョン放送受信装置に接続されている情報端末と連携する指示に基づいて、前記動作モードを前記情報端末に送信するための送信部とを備える、テレビジョン放送受信装置。
【請求項８】
前記動作モードは、前記テレビジョン放送受信装置の現在の視聴状態、および、複数のチャンネルの各々に基づく各映像を合成できるか否かを表わす情報の少なくともいずれかを含む、請求項７に記載のテレビジョン放送受信装置。
【請求項９】
請求項１〜６のいずれかに記載の情報端末と、
請求項７または８に記載のテレビジョン放送受信装置とを備える、映像表示システム。
【発明の詳細な説明】
【技術分野】
【０００１】
本発明は、テレビジョン放送受信装置（以下、ＴＶと略す。）でデジタル放送を視聴中に、携帯端末、スマートフォンその他の情報端末からＴＶに外部出力を行う場合に情報端末の画面とデジタル放送の映像とを合成して、合成された映像をＴＶに出力する技術に関する。
【背景技術】
【０００２】
従来、ＴＶは、デジタル放送を受信して再生する機能と、リモコンやキ―操作によって選局、または画質若しくは音質の設定を行う機能とを有する。また、ＴＶの大画面を有効に利用する手段の一つとして当該ＴＶに接続される外部機器からの出力にも対応し、ＴＶ以下の表示解像度しか持たない外部機器の映像表示を補助する機能も有する。
【０００３】
一方、外部出力機能を有する情報端末は、近年の高機能化により、デジタル放送を受信する機能も有しており表示解像度を除いては、ＴＶと同等以上の機能を有することが多い。
【０００４】
ＴＶがデジタル放送の映像と外部から入力される映像とを合成して表示するPinP（Picture  in  Picture：ピクチャー・イン・ピクチャー）機能を有する場合、当該情報端末からＴＶに映像を出力すると、ユーザは、ＴＶの視聴を継続しながら情報端末から出力される画像も確認できる。
【０００５】
また、特開２００６−３３３１０１号公報（特許文献１）は、現在ＴＶで視聴中のチャンネル情報、出力中の音声モードその他の設定情報を、情報端末に送信し、その情報に連動した表示画像を生成して、その表示画像を外部出力する技術を開示している。
【先行技術文献】
【特許文献】
【０００６】
【特許文献１】特開２００６−３３３１０１号公報
【発明の概要】
【発明が解決しようとする課題】
【０００７】
ＴＶがピクチャー・イン・ピクチャー機能を有さない場合において、情報端末がＴＶに映像を出力すると、ＴＶは、外部から入力された映像しか表示できず、ユーザは、ＴＶ視聴を継続できないという問題がある。また、ＴＶがピクチャー・イン・ピクチャー機能を有する場合には、ＴＶは、外部から入力された映像と視聴中のデジタル放送とを同時に表示可能であるが、既にユーザが当該ピクチャー・イン・ピクチャー機能を用いて複数チャンネルを視聴している場合、複数チャンネルでの視聴の継続ができない場合がある。
【０００８】
また、特開２００６−３３３１０１号公報に開示された技術は、ＴＶがピクチャー・イン・ピクチャー機能を有することを前提としている。そのため、ＴＶがピクチャー・イン・ピクチャー機能を有さない場合、ユーザは、視聴を継続できないことになる。また、当該技術は、情報端末がデジタル放送機能を有する場合を考慮しておらず、インターネットなどの情報通信ネットワークを介して収集した情報しか連携表示できないことになる。
【０００９】
本発明は、上述のような問題点を解決するためになされたものであって、その目的は、情報端末がＴＶに映像を出力する場合に、視聴状態の継続を可能とする情報端末とテレビジョン放送受信装置、映像表示システムを提供することである。
【課題を解決するための手段】
【００１０】
一実施の形態にしたがう情報端末は、テレビジョン放送受信装置と通信するための通信手段と、デジタル放送を選択的に受信するための選局部と、画像を表示するための表示装置と、情報端末の動作を制御するための制御部とを備える。制御部は、テレビジョン放送受信装置から受信した情報から、テレビジョン放送受信装置において選局されているチャンネル情報を取得するためのチャンネル情報取得手段と、チャンネル情報に基づくデジタル放送を選局部に選択させるための受信制御手段と、選局部の選択によって受信されたデジタル放送と、表示装置に表示されている画像とを合成するための合成手段とを含む。通信手段は、合成手段によって生成された画像をテレビジョン放送受信装置に送信する。
【００１１】
好ましくは、制御部は、テレビジョン放送受信装置によって送られる情報から、テレビジョン放送受信装置で設定されている動作モードを取得するための動作モード取得手段をさらに含む。合成手段は、動作モードに基づいて、デジタル放送と画像とを合成する。
【００１２】
好ましくは、選局部は、複数のチューナを含む。受信制御手段は、複数のチューナの各々にデジタル放送を受信させる。合成手段は、各チューナによって受信されたデジタル放送の各映像と、画像とを合成する。
【００１３】
好ましくは、選局部は、字幕データを有するデジタル放送を受信可能である。合成手段は、字幕データを含む映像と、画像とを合成する。
【００１４】
好ましくは、情報端末は、当該情報端末において設定されている端末情報を格納するための記憶手段をさらに備える。通信手段は、端末情報をテレビジョン放送受信装置に送信する。
【００１５】
好ましくは、端末情報は、情報端末において選択されているチャンネル、映像の表示モードまたは音量レベルの少なくともいずれかを含む。
【００１６】
他の実施の形態にしたがうと、テレビジョン放送受信装置が提供される。このテレビジョン放送受信装置は、テレビジョン放送を受信するための選局部と、テレビジョン放送受信装置に対する指示を受け付ける指示入力部と、テレビジョン放送受信装置において設定されている動作モードを格納するための記憶部と、テレビジョン放送受信装置に接続されている情報端末と連携する指示に基づいて、動作モードを情報端末に送信するための送信部とを備える。
【００１７】
好ましくは、動作モードは、テレビジョン放送受信装置の現在の視聴状態、および、複数のチャンネルの各々に基づく各映像を合成できるか否かを表わす情報の少なくともいずれかを含む。
【００１８】
他の実施の形態にしたがう映像表示装置は、上記のいずれかに記載の情報端末と、テレビジョン放送受信装置とを備える。
【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】本発明の第１の実施の形態に係る映像表示システム１の構成を表すブロック図である。
【図２】情報端末２がテレビジョン放送受信装置３に信号を出力する場合における一連の処理の一部を表わすフローチャートである。
【図３】外部入力要求として、テレビジョン放送受信装置３が情報端末２からのデータの入力を受け付ける要求を受信した場合における処理を表わすフローチャートである。
【図４】テレビジョン放送受信装置３が複数の番組の視聴と合成ができない場合において、情報端末２が画面を合成する例を示す図である。
【図５】情報端末２とテレビジョン放送受信装置３とが実行する処理を表わすフローチャートである。
【図６】テレビジョン放送受信装置３の表示装置１８が複数の画面を同時に表示できる場合に表示される画面を表わす図である。
【図７】テレビジョン放送受信装置３および情報端末２が同時に５画面の画像を表示できる場合における画面の表示態様を表わす図である。
【図８】テレビジョン放送受信装置３と情報端末２とが実行する処理の流れを表わすフローチャートである。
【図９】情報端末２が実行する一連の処理の一部を表わすフローチャートである。
【図１０】テレビジョン放送受信装置３が外部信号の入力を終了するときに実行する処理手順を示すフローチャートである。
【図１１】外部入力の開始から終了までにおける情報端末２およびテレビジョン放送受信装置３の状態の変化を表わす図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
図１は、本発明の実施の形態に係る映像表示システム１の構成を表すブロック図である。映像表示システム１は、情報端末２と、テレビジョン放送受信装置３とを含む。情報端末２とテレビジョン放送受信装置３とは、たとえば、HDMI（High-Definition  Multimedia  Interface）ケーブル４によって接続されるが、通信の態様はこれに限られない。情報端末２とテレビジョン放送受信装置３とは、たとえば、ＣＥＣ（Consumer  Electronics  Control）信号によって通信される。なお、通信の態様は、無線ＬＡＮ（Local  Area  Network）その他の双方向可能な通信手段であればよい。
【００２３】
ある局面において、情報端末２は、たとえば、携帯電話機、スマートフォン、タブレット型コンピュータ、ノートブック型コンピュータ、セットトップボックスその他の端末であって、デジタル放送を受信可能な端末として実現される。
【００２４】
［情報端末］
情報端末２は、デジタル放送チューナー部５と、キー入力インターフェース６と、合成データ生成部７と、ＣＰＵ（Central  Processing  Unit）８と、表示装置９と、画像合成部１０と、画像データ処理部１１と、音声データ処理部１２と、制御データ処理部１３と、スピーカ１４と、外部接続インターフェース部１５と、ネットワークインターフェース２８と、ＲＡＭ（Random  Access  Memory）３０とを含む。ＲＡＭ３０は、設定情報保存部３１を含む。
【００２５】
デジタル放送チューナー部５は、一つ以上のチューナーによって実現される。ある局面において、デジタル放送チューナー部５は、２つ以上のチューナーによって実現される。
【００２６】
キー入力インターフェース６は、キーボード、タッチパネル、スイッチ、トラックパッドその他の入力装置として実現される。
【００２７】
合成データ生成部７は、字幕データと映像データとを合成して、字幕が含まれた映像を生成する。
【００２８】
ＣＰＵ８は、情報端末２の動作を制御する。たとえば、ＣＰＵ８は、デジタル放送チューナー部５による選局を指示する。ＣＰＵ８は、キー入力インターフェース６からの入力を受け付ける。
【００２９】
他の局面において、ＣＰＵ８は、ネットワークインターフェース２８を介して、インターネット３４に接続されている装置と通信する。ＣＰＵ８は、たとえば、情報端末２のソフトウェアを更新するためのプログラムを、当該プログラムの提供者（たとえば、情報端末２の製造者）からダウンロードし、あるいは、テレビジョン放送受信装置３の機能を示す情報を、当該情報の提供者（たとえば、テレビジョン放送受信装置３の製造者）からダウンロードする。さらに別の局面において、ＣＰＵ８は、テレビジョン放送受信装置３の設定情報を、テレビジョン放送受信装置３からインターネット３４経由でも取得し得る。
【００３０】
ＣＰＵ８は、ＲＡＭ３０にデータを書き込み、また、ＲＡＭ３０からデータを読み出す。ＣＰＵ８は、デジタル放送チューナー部５から送られる信号を、画像データと音声データとに分けて、画像データを画像データ処理部１１に送出し、音声データを音声データ処理部１２に送出する。
【００３１】
表示装置９は、たとえば液晶表示装置、有機ＥＬ（Electro  Luminescence）表示装置として実現される。表示装置９は、デジタル放送の映像、撮影された動画、映画その他の画像を表示し得る。
【００３２】
画像合成部１０は、デジタル放送チューナー部５によって選択されたチャンネルに基づいて受信されるデジタル放送の画像と、表示装置９に表示されている映像とを合成する。ある局面において、デジタル放送チューナー部５が複数のチューナーを有する場合には、表示装置９に表示される映像は、情報端末２のユーザによって選択されたチャンネルで受信されるデジタル放送の映像となり得る。他の局面において、表示装置９に表示される映像は、デジタル放送の映像以外の映像、たとえば、撮影によって得られた動画、ダウンロードまたは記憶装置から読み出された映画、文書、ＰＤＦドキュメント等を含み得る。
【００３３】
画像データ処理部１１は、ＣＰＵ８から送られた画像信号を用いて、情報端末２において設定されている画像表示モードに応じた映像信号を生成する。画像信号は、テレビジョン放送に基づく信号、撮影された動画像を表示するための信号、記憶媒体から読み出された映像信号等を含む。
【００３４】
音声データ処理部１２は、設定情報保存部３１に格納されている設定情報に規定された音量レベルとなるように、ＣＰＵ８から送られた音声信号の音量レベルを調整する。音声データ処理部１２は、調整後の音声信号を、スピーカ１４または外部接続インターフェース部１５に送信する。
【００３５】
さらに、情報端末２は、テレビジョン放送の受信および表示に加え、ネットワークインターフェース２８およびインターネット３４を介して送受信したデータを表示装置９に表示する。情報端末２は、キー入力インターフェース６を介して、情報端末２のユーザの指示を受け付け、設定情報保存部３１に保存する。設定情報保存部３１は、データを不揮発的に保持できるメモリとして実現される。
【００３６】
情報端末２は、外部接続インターフェース部１５を介して、テレビジョン放送受信装置その他の機器との接続を受け付け、当該他の機器に対して画像データまたは音声データを送信する。たとえば、情報端末２は、後述のように、画像合成部１０によって生成されたデータを、テレビジョン放送受信装置３に送信できる。
【００３７】
制御データ処理部１３は、ＲＡＭ３０によって保持されているデータを、外部接続インターフェース部１５を介して、テレビジョン放送受信装置３その他の外部機器に送信し、または、当該外部機器から制御データを受信する。外部接続インターフェース部１５は、たとえば、HDMI規格に従うものであるが、他の規格に従うインターフェースであってもよい。また、通信の態様は、有線および無線のいずれであってもよい。
【００３８】
設定情報保存部３１は、ある局面において、フラッシュＲＡＭとして実現される。設定情報保存部３１は、予め規定された動作、または、ユーザによって指示された動作を、情報端末２に実行させるために設定されたデータを保持する。また、設定情報保存部３１は、情報端末２が所定の動作を実行するために設定されたデータを保持する。このデータは、ある局面において、テレビジョン放送受信装置３から受信されたデータであるが、他の局面において、インターネット３４を介して取得されたデータであってもよい。
【００３９】
より詳しくは、設定情報保存部３１は、表示装置９を用いた映像の視聴状態に関する情報を保持する。視聴状態に関する情報とは、具体的には、たとえば、ユーザの指示によって得られるチャンネル情報、字幕ＯＮ／ＯＦＦの設定、音量設定、音声トラック情報、画質設定、三次元表示（以下「３Ｄ表示」という。）のＯＮ／ＯＦＦの設定等を含む。音量設定については、設定情報保存部３１は、各機器の最大音量に対しての現在の音量を相対的な数値で保持する。画質設定については、設定情報保存部３１は、たとえば、ゲーム用、静止画用、あるいは動画用のような用途を示すデータを保存する。
【００４０】
［テレビジョン放送受信装置］
テレビジョン放送受信装置３は、外部接続インターフェース部１６と、スピーカ１７と、表示装置１８と、画像合成部１９と、画像データ処理部２０と、音声データ処理部２１と、制御データ処理部２２と、合成データ生成部２３と、ＣＰＵ２４と、デジタル放送チューナー部２５と、リモコン入力インターフェース２６と、キー入力インターフェース２９と、ＲＡＭ３２とを含む。ＲＡＭ３２は、設定情報保存部３３を含む。
【００４１】
キー入力インターフェース２９は、キーボード、タッチパネル、スイッチ、トラックパッドその他の入力装置として実現される。
【００４２】
合成データ生成部２３は、字幕データと映像データとを合成して、字幕が含まれた映像を生成する。
【００４３】
ＣＰＵ２４は、テレビジョン放送受信装置３の動作を制御する。たとえば、ＣＰＵ２４は、デジタル放送チューナー部２５による選局を指示する。ＣＰＵ２４は、キー入力インターフェース２９からの入力を受け付ける。ＣＰＵ２４は、ＲＡＭ３２にデータを書き込み、また、ＲＡＭ３２からデータを読み出す。ＣＰＵ２４は、デジタル放送チューナー部２５から送られる信号を、画像データと音声データとに分けて、画像データを画像データ処理部２０に送出し、音声データを音声データ処理部２１に送出する。
【００４４】
表示装置１８は、たとえば液晶表示装置、有機ＥＬ（Electro  Luminescence）表示装置、プラズマ表示装置として実現される。表示装置１８は、デジタル放送の映像、撮影された動画、映画その他の画像を表示し得る。
【００４５】
画像合成部１９は、デジタル放送チューナー部２５によって選択されたチャンネルに基づいて受信されるデジタル放送の画像と、表示装置１８に表示されている映像とを合成する。ある局面において、デジタル放送チューナー部２５が複数のチューナーを有する場合には、表示装置１８に表示される映像は、テレビジョン放送受信装置３のユーザによって選択されたチャンネルで受信されるデジタル放送の映像となり得る。たとえば、画像合成部１９は、複数のチューナのうち第１のチューナによって選局されたチャンネルの映像を親画面として表示装置１８の中央に表示し、第２のチューナによって選局されたチャンネルの映像を子画面として親画面の一部にPinPの形で、あるいは、親画面に隣接する態様で、その画面を表示する。なお、複数のチャンネルに基づく各映像の表示が指示された場合において、各映像が表示される場所は、予め設定情報保存部３３に保持されている。
【００４６】
他の局面において、表示装置１８に表示される映像は、デジタル放送の映像以外の映像、たとえば、撮影によって得られた動画、ダウンロードまたは記憶装置から読み出された映画、文書、ＰＤＦドキュメント等を含み得る。
【００４７】
画像データ処理部２０は、ＣＰＵ２４から送られた画像信号を用いて、テレビジョン放送受信装置３において設定されている画像表示モードに応じた映像信号を生成する。画像信号は、テレビジョン放送に基づく信号、撮影された動画を表示するための信号、記憶媒体から読み出された映像信号等を含む。
【００４８】
音声データ処理部２１は、設定情報保存部３３に格納されている設定情報に規定された音量レベルとなるように、ＣＰＵ２４から送られた音声信号の音量レベルを調整する。音声データ処理部２１は、調整後の音声信号を、スピーカ１７または外部接続インターフェース部１６に送信する。
【００４９】
リモコン入力インターフェース２６は、リモコン２７によって発信された制御信号を受信し、その制御信号をＣＰＵ２４に送出する。ＣＰＵ２４は、その制御信号に基づいて、デジタル放送チューナー部２５によるチャネルの選択、音量の切り替え、画質の表示モードの変更等を実行する。
【００５０】
テレビジョン放送受信装置３は、デジタル放送チューナー部２５を介してテレビジョン放送を受信し、映像を表示装置１８に表示する。テレビジョン放送受信装置３は、キー入力インターフェース２９、または、リモコン入力インターフェース２６を介して、リモコン２７から送られたユーザ指示を受け付け、ＲＡＭ３２内の設定情報保存部３３に保存する。
【００５１】
テレビジョン放送受信装置３は、また、外部接続インターフェース部１６を介して、情報端末２その他の機器による接続を受け付ける。テレビジョン放送受信装置３は、情報端末２によって送られる画像データまたは音声データを受信し、スピーカ１７を介して音声を出力し、または、表示装置１８に画像を表示する。
【００５２】
制御データ処理部２２は、外部接続インターフェース部１６を介して、設定情報保存部３３内の制御データを、情報端末２その他の機器に送信し、または、当該他の機器から制御データを受信する。ここで、制御データは、たとえば、テレビジョン放送受信装置３が有する機能を示すデータを含む。制御データは、一例として、PinPが可能であるか否かを示すコードや、PinPが可能である場合に、複数の画面を表示装置１８のどの位置に表示させるべきかを示すコードを含む。
【００５３】
設定情報保存部３３は、ある局面において、フラッシュＲＡＭとして実現される。設定情報保存部３３は、予め規定された動作、または、ユーザによって指示された動作を、テレビジョン放送受信装置３に実行させるために設定されたデータを保持する。また、設定情報保存部３３は、テレビジョン放送受信装置３が所定の動作を実行するために設定されたデータを保持する。このデータは、ある局面において、テレビジョン放送受信装置３のユーザによってリモコン２７から入力されたデータであるが、これに限られない。たとえば、当該データは、インターネット３４を介して取得されたデータ、外部接続インターフェース部１６を介して情報端末２から受信したデータであってもよい。
【００５４】
より詳しくは、設定情報保存部３３は、表示装置１８における視聴状態に関する情報を保持する。視聴状態に関する情報とは、具体的には、ユーザの指示によって得られるチャンネル情報、字幕ＯＮ／ＯＦＦの設定、音量設定、音声トラック情報、画質設定、３Ｄ表示のＯＮ／ＯＦＦの設定等を含む。音量設定については、設定情報保存部３３は、各機器の最大音量に対しての現在の音量を相対的な数値で保持する。画質設定については、設定情報保存部３１は、たとえば、ゲーム用、静止画用、あるいは動画用のような用途を示すデータを保存する。
【００５５】
［制御構造］
図２を参照して、本実施の形態に係る情報端末２の制御構造について説明する。図２は、情報端末２がテレビジョン放送受信装置３に信号を出力する場合における一連の処理の一部を表わすフローチャートである。この処理は、たとえば、情報端末２がテレビジョン放送受信装置３に接続された後に、情報端末２からテレビジョン放送受信装置３に対して信号を出力する指示が情報端末２に与えられた場合に実行される。
【００５６】
ステップＳ２１０にて、情報端末２とテレビジョン放送受信装置３とが無線または有線で接続される。その後、情報端末２は、テレビジョン放送受信装置３から送られた信号に基づき、または、情報端末２のユーザ操作に基づき、外部出力開始準備として、情報端末２の動作モードを、信号をテレビジョン放送受信装置３に送信するためのモードに切り換える。
【００５７】
ステップＳ２１５にて、情報端末２は、テレビジョン放送受信装置３が保持している設定情報を取得するために、テレビジョン放送受信装置３に対して、設定情報を要求する。
【００５８】
ステップＳ２２０にて、情報端末２のＣＰＵ８は、設定情報の取得が成功したか否かを判断する。この判断は、たとえば、テレビジョン放送受信装置３から送られるデータから設定情報が抽出されたか否かに基づいて行なわれる。ＣＰＵ８は、設定情報の取得が成功したと判断すると（ステップＳ２２０にてＹＥＳ）、制御をステップＳ２２５に切り換える。そうでない場合には（ステップＳ２２０にてＮＯ）、ＣＰＵ８は、制御をステップＳ２８５に切り換える。この場合、情報端末２は、予め設定された情報に基づいて、情報端末２が受信している映像または音声を、あるいは、情報端末２に保存されている映像または音声を、テレビジョン放送受信装置３に送信することになる。
【００５９】
ステップＳ２２５にて、制御データ処理部１３は、テレビジョン放送受信装置３から受信した設定情報を解析し、テレビジョン放送受信装置３において具体的に設定されているデータを取得する。このデータは、選択されているチャンネル、設定されている音量レベル、設定されている画質モード、３Ｄ表示モードの設定の有無等を含む。
【００６０】
ステップＳ２３０にて、ＣＰＵ８は、設定情報の解析によって得られたデータに基づいて、情報端末２において、テレビジョン放送受信装置３において選択されているチャンネルと同一のチャンネルが視聴されているか否かを確認する。同一のチャンネルが視聴されている場合には（ステップＳ２３０にてＹＥＳ）、ＣＰＵ８は、制御をステップＳ２４０に切り換える。そうでない場合には（ステップＳ２３０にてＮＯ）、ＣＰＵは、制御をステップＳ２３５に切り換える。
【００６１】
ステップＳ２３５にて、ＣＰＵ８は、デジタル放送チューナー部５に選局させることにより、テレビジョン放送受信装置３において選択されているチャンネルと同一のチャンネルの放送を受信する。
【００６２】
ステップＳ２４０にて、ＣＰＵ８は、受信した設定情報の解析結果に基づいて、字幕設定がＯＮになっているか否かを判断する。ＣＰＵ８は、字幕設定がＯＮになっていると判断すると（ステップＳ２４０にてＹＥＳ）、制御をステップＳ２４５に切り換える。そうでない場合には（ステップＳ２４０にてＮＯ）、ＣＰＵ８は、制御をステップＳ２５０に切り換える。
【００６３】
ステップＳ２４５にて、ＣＰＵ８は、字幕を有効に設定する。合成データ生成部７は、その設定に基づき、合成データとして、字幕を含む映像を生成する。
【００６４】
ステップＳ２５０にて、ＣＰＵ８は、音量の設定を確認するために、テレビジョン放送受信装置３における設定を表わす相対値と、情報端末２における設定を表わす相対値とが同一であるか否かを判断する。ＣＰＵ８は、これらの相対値が同一であると判断すると（ステップＳ２５０にてＹＥＳ）、制御をステップＳ２６０に切り換える。そうでない場合には（ステップＳ２５０にてＮＯ）、ＣＰＵ８は、制御をステップＳ２５５に切り換える。
【００６５】
ステップＳ２５５にて、音声データ処理部２１は、設定情報の解析結果（相対値）に基づいて、音量の設定が同一となるように、情報端末２における音量を、テレビジョン放送受信装置３における音量に設定する。
【００６６】
ステップＳ２６０にて、ＣＰＵ８は、設定情報の解析結果に基づいて、情報端末２における画質モードの設定と、テレビジョン放送受信装置３における画質モードの設定とが同一であるか否かを判断する。ＣＰＵ８は、これらの画質モードの設定が同一であると判断すると（ステップＳ２６０にてＹＥＳ）、制御をステップＳ２７０に切り換える。そうでない場合には（ステップＳ２６０にてＮＯ）、ＣＰＵ８は、制御をステップＳ２６５に切り換える。
【００６７】
ステップＳ２６５にて、画像データ処理部１１は、情報端末２の画質モードを、テレビジョン放送受信装置３における画質モードに設定する。
【００６８】
ステップＳ２７０にて、ＣＰＵ８は、設定情報の解析結果に基づいて、３Ｄ表示モードの設定がＯＮであるか否かを判断する。ＣＰＵ８は、３Ｄ表示モードの設定がＯＮであると判断すると（ステップＳ２７０にてＹＥＳ）、制御をステップＳ２７５に切り替える。そうでない場合には（ステップＳ２７０にてＮＯ）、ＣＰＵ８は、制御をステップＳ２８０に切り換える。
【００６９】
ステップＳ２７５にて、ＣＰＵ８は、３Ｄ表示が有効となるように、情報端末２の動作モードを３Ｄ表示モードに切り換える。
【００７０】
ステップＳ２８０にて、画像合成部１０は、情報端末２で表示されている映像と、デジタル放送チューナー部５から送られる信号に基づく映像とを合成する。さらに、画像合成部１０は、音声データ処理部１２で加工された音声データを、合成により生成された映像データに関連付ける。このとき、各映像に対応する音声を選択的に出力するために、画像合成部１０は、音声データの選択を表わす制御コードを音声データに付与してもよい。このようにすると、テレビジョン放送受信装置３のユーザは、複数の映像のうちのいずれかの映像の音声のみを聞くことが可能になる。
【００７１】
ステップＳ２８５にて、情報端末２は、外部接続インターフェース部１５を介して、画像合成部１０によって生成されたデータを、テレビジョン放送受信装置３に出力する。テレビジョン放送受信装置３は、そのデータに基づいて映像および音声を出力するので、テレビジョン放送受信装置３における視聴状態が再現され得る。
【００７２】
図３を参照して、テレビジョン放送受信装置３の制御構造について説明する。図３は、外部入力要求として、テレビジョン放送受信装置３が情報端末２からのデータの入力を受け付ける要求を受信した場合における処理を表わすフローチャートである。
【００７３】
ステップＳ３１０にて、テレビジョン放送受信装置３は、情報端末２から、外部接続インターフェース部１６を介して、設定情報の取得要求を受信する。
【００７４】
ステップＳ３２０にて、ＣＰＵ２４は、その取得要求に応答して、設定情報保存部３３に保存された設定情報を読み出して、読み出した設定情報を情報端末２に送信する。情報端末２は、設定情報を受信すると、その解析によって得られるデータに基づいて映像および音声データを生成する。
【００７５】
ステップＳ３３０にて、ＣＰＵ２４は、テレビジョン放送受信装置３の動作モードを、外部接続インターフェース部１６を介して外部からの信号の入力を受け付ける入力モードに切り換えて、情報端末２から送られるデータを待機する。
【００７６】
ステップＳ３４０にて、ＣＰＵ２４は、情報端末２から送られてきた映像データおよび音声データの入力の受け付けを開始する。ＣＰＵ２４は、入力された映像データを画像データ処理部２０に送出し、音声データを音声データ処理部２１に送出する。画像データ処理部２０は、その画像データに対して必要な処理（たとえば、画質調整、サイズ調整等）を実行し、処理後のデータを画像合成部１９に送出する。音声データ処理部２１は、音声データに対して必要な処理（たとえば、音量調整、バランス調整等）を実行し、処理後のデータを、スピーカ１７に送出する。スピーカ１７は、音声データに基づいて音声を再生する。一方、画像合成部１９は、画像データ処理部２０から送られる画像データと、合成データ生成部２３から送られるデータ（たとえば字幕データ）とを合成し、合成によって得られたデータを表示装置１８に送出する。表示装置１８は、そのデータに基づいて映像を表示する。
【００７７】
図４および図５を参照して、情報端末２およびテレビジョン放送受信装置３に表示される画面について説明する。図４は、テレビジョン放送受信装置３が複数の番組の視聴と合成ができない場合において、情報端末２が画面を合成する例を示す図である。図５は、情報端末２とテレビジョン放送受信装置３とが実行する処理を表わすフローチャートである。
【００７８】
図４（Ａ）に示されるように、ある局面において、テレビジョン放送受信装置３は、デジタル放送チューナー部２５において選局されているチャンネルに基づく映像を表示している。テレビジョン放送受信装置３は、情報端末２からの要求に基づいて、そのチャンネル番号その他の設定情報を、情報端末２に送信する（ステップＳ５１０）。情報端末２が、テレビジョン放送受信装置３から、その設定情報を受信すると、そのチャンネル番号に基づく映像４１０と、情報端末２が当初から表示していた映像４２０とを合成する。図４（Ｂ）に示されるように、情報端末２は、合成によって生成された映像を表示する。ここで、映像４１０，４２０のレイアウトは、図４に示されるものに限られない。たとえば、表示装置１８の画面表示領域が２分割されて、２つの映像が同じサイズで表示されてもよい。あるいは、情報端末２から送られた信号に基づいて映像が表示されていることを明示するために、「外部映像」のような表示が、映像の近傍に示されてもよい。
【００７９】
情報端末２とテレビジョン放送受信装置３との通信が確立されると、情報端末２は、表示装置９に表示されている映像と同じ映像（図４（Ｂ）を表示するためのデータを、テレビジョン放送受信装置３に送信する（ステップＳ５２０）。テレビジョン放送受信装置３は、そのデータに基づき、表示装置１８に映像を表示する（ステップＳ５３０）。
【００８０】
なお、テレビジョン放送受信装置３が複数の画面を表示するためのトリガーは、上述の態様に限られない。たとえば、テレビジョン放送受信装置３に接続されている情報端末２が携帯電話機である場合には、電話の着信時に、または、メールの受信時に、テレビジョン放送受信装置３が２画面またはそれよりも多い画面を表示してもよい。この場合、電話の着信を示す画面、または、メールの受信を示す画面がテレビジョン放送受信装置３に表示され得る。あるいは、テレビジョン放送受信装置３のユーザがリモコン２７を用いて、複数画面の表示を指示した場合であってもよい。
【００８１】
さらに他の局面において、テレビジョン放送受信装置３がデータ放送を受信している場合において、文字入力画面に切り替わる指示が前記テレビジョン放送受信装置３のユーザによって与えられたときに、テレビジョン放送受信装置３が複数画面を表示してもよい。このようにすると、ユーザは、情報端末２の操作による文字入力をテレビジョン放送受信装置３の表示装置９で確認できるため、利便性が向上し得る。
【００８２】
図６〜図８を参照して、テレビジョン放送受信装置３および情報端末２における画面の表示態様についてさらに説明する。図６は、テレビジョン放送受信装置３の表示装置１８が複数の画面を同時に表示できる場合に示される画面を表わす図である。
【００８３】
図６（Ａ）を参照して、ある局面において、テレビジョン放送受信装置３は、選択された２つのチャンネルに基づいて、２つの画面６１０，６２０を表示している。図６（Ｂ）を参照して、このとき、情報端末２は、選択された２つのチャンネルに基づいて、２つの画面６３０，６４０を表示している。
【００８４】
情報端末２がテレビジョン放送受信装置３に接続されると、情報端末２は、テレビジョン放送受信装置３に対して設定情報を要求して、テレビジョン放送受信装置３において選択されているチャンネル、画質設定および画面レイアウトを取得する。情報端末２は、テレビジョン放送受信装置３において、画面６１０，６２０に対応する２つのチャンネルが選択されていることを検出する。情報端末２は、画面６１０に対応するチャンネルと、画面６４０に対応するチャンネルとが同じであることを検知する。さらに、情報端末２は、画面６２０に対応するチャンネルが新たに受信すべきチャンネルであることを検知する。
【００８５】
情報端末２は、自身における画面の表示レイアウト（図６（Ｂ））に基づいて、さらに、第３のチューナを起動して、画面６２０に対応するチャンネルを選択する。情報端末２は、３つのチューナによって選択された各チャンネルの各映像を合成する。たとえば、情報端末２のＣＰＵ８が、テレビジョン放送受信装置３の表示装置１８が情報端末２の表示装置９よりも大きいことを検知すると、ＣＰＵ８は、情報端末２に表示されている画面のレイアウトをベースに、テレビジョン放送受信装置３の表示装置１８に表示されるべき画面を作成する。具体的には、画像合成部１０は、上記第３のチューナで選択されるチャンネルの画面が、表示装置９の表示領域の外側かつ表示装置１８の表示領域内に配置されるように、画面のレイアウトを決定する。レイアウトを決定するためのルールは、たとえば、情報端末２において予め規定されている。
【００８６】
図６（Ｃ）に示される例では、画面６３０，６４０のレイアウトは、画面６６０，６７０のレイアウトに対応する。さらに、第３のチューナで選択されたチャンネルの映像が画面６５０として表示される。なお、第３のチューナで選択されたチャンネルの映像が画面６５０の場所に表示されるように各画面が情報端末２において合成される代わりに、画面６８０または画面６９０の場所に表示されるように、情報端末２は、各チャンネルの映像を合成してもよい。
【００８７】
図７は、テレビジョン放送受信装置３および情報端末２が同時に５画面の画像を表示できる場合における画面の表示態様を表わす図である。図７（Ａ）に示されるように、テレビジョン放送受信装置３は、画面７１０，７２０，７２１，７２２を表示している。なお、各画面のレイアウトは図７（Ａ）に示されるものに限られない。また、各画面のサイズは、均等であってもよい。各画面が情報端末２がテレビジョン放送受信装置３に接続されると、情報端末２は、テレビジョン放送受信装置３に対して設定情報を要求する。テレビジョン放送受信装置３は、その要求に応答して、チャンネル情報、画質設定、画面レイアウト情報、画面サイズ等を含む設定情報を、情報端末２に送信する。
【００８８】
図７（Ｂ）に示されるように、情報端末２は、２つのチューナを用いて２つのチャンネルを選択しており、画面７３０，７４０を表示している。情報端末２は、テレビジョン放送受信装置３から設定情報を受信すると、その設定情報から得られるチャンネルであって情報端末２において選択されていないチャンネルを特定する。
【００８９】
情報端末２は、さらに、その特定されたチャンネルを選択するためにチューナを作動させる。具体的には、情報端末２は、画面７２０，７２１，７２２を表示するために３つのチューナを起動して、当該チャンネルを選択する。一方、画面７１０に対応するチャンネルは、情報端末２の画面７４０に対応するチャンネルと同じであるため、情報端末２は、このチャンネルをそのまま用いる。情報端末２は、画面７３０，７４０の表示のために既に起動されている２つのチューナと新たに起動された３つのチューナとから得られる映像を合成して、５つの画面をまとめて表示するためのデータを生成する。
【００９０】
各画面のレイアウトは、図６の場合と同様に、一例として、表示領域が小さい情報端末２における画面のレイアウトに基づいて決定される。すなわち、テレビジョン放送受信装置３において選択されており、かつ、情報端末２において選択されていないチャンネルに対応する画面が、表示装置９の表示領域の外側かつ表示装置１８の表示領域の内側に配置されるように、当該画面の位置情報が決定される。この場合、複数の画面を配置する場合の初期の位置は、たとえば、左上、あるいは右上のように、予め定められている。情報端末２は、そのような合成によって得られた画面データをテレビジョン放送受信装置３に送信する。
【００９１】
テレビジョン放送受信装置３は、その画面データを受信すると、合成された画面を表示装置１８に表示する。その画面は、テレビジョン放送受信装置３および情報端末２において選択されていた５つのチャンネルに対応する画面７５０，７５１，７５２，７６０，７７０を含む。
【００９２】
図８は、テレビジョン放送受信装置３と情報端末２とが実行する処理の流れを表わすフローチャートである。この処理は、図６または図７に示されるように、情報端末２がテレビジョン放送受信装置３に接続された場合に実行される。
【００９３】
ステップＳ８１０にて、テレビジョン放送受信装置３は、情報端末２から送られた要求に応答して、デジタル放送チューナー部２５において選択されているチャンネルを示す情報その他の設定情報を情報端末２に送信する。なお、送信のタイミングは要求に応答する態様に限られず、他の局面において、予め定められた送信条件が成立した場合にテレビジョン放送受信装置３が情報端末２に送信してもよい。予め定められた送信条件としては、たとえば、一定時間ごとに設定情報が、テレビジョン放送受信装置３から情報端末２に送信されるものであってもよい。
【００９４】
ステップＳ８２０にて、情報端末２は、その情報に基づき、テレビジョン放送受信装置３において複数のチャンネルが選択されていることを検知する。
【００９５】
ステップＳ８３０にて、情報端末２は、それ自身が選択している複数のチャンネルと、テレビジョン放送受信装置３において選択されている複数のチャンネルとの間に、同じチャンネルがあるか否かを判断する。情報端末２は、同じチャンネルがあると判断すると（ステップＳ８３０にてＹＥＳ）、制御をステップＳ８４０に切り換える。そうでない場合には（ステップＳ８３０にてＮＯ）、情報端末２は、制御をステップＳ８５０に切り換える。
【００９６】
ステップＳ８４０にて、情報端末２は、それ自身における番組の表示レイアウトを用いて、それらの番組と、テレビジョン放送受信装置のチャンネルに基づく番組とを合成する。
【００９７】
ステップＳ８５０にて、情報端末２は、予め定められた基準に従って番組を合成する。具体的には、情報端末２のＣＰＵ８は、複数のチャンネルが選択されている場合に各映像を表示する位置として予め定められた位置に各映像が表示されるように、画像データを構成する。
【００９８】
ステップＳ８６０にて、情報端末２は、合成によって生成された映像信号を、テレビジョン放送受信装置３に送信する。テレビジョン放送受信装置３は、その映像信号に基づいて、各チャンネルの映像を表示する。
【００９９】
図９を参照して、情報端末２の制御構造についてさらに説明する。図９は、情報端末２が実行する一連の処理の一部を表わすフローチャートである。
【０１００】
ステップＳ９１０にて、情報端末２のＣＰＵ８は、キー入力インターフェース６からの信号に基づいてユーザ操作を受け付け、テレビジョン放送受信装置３に対する外部出力を終了する指示が与えられたことを検知する。
【０１０１】
ステップＳ９２０にて、情報端末２は、外部出力を終了するための処理を開始する。すなわち、情報端末２は、テレビジョン放送受信装置３に対して信号を送信することにより、テレビジョン放送受信装置３との通信セッションを形成する。
【０１０２】
ステップＳ９３０にて、情報端末２は、設定情報保存部３１に保存されている設定情報をテレビジョン放送受信装置３に送信する。テレビジョン放送受信装置３は、受信した設定情報と、受信日時および情報端末２を識別するデータとを関連付けて、これらのデータを設定情報保存部３３に格納する。
【０１０３】
ステップＳ９４０にて、情報端末２は、テレビジョン放送受信装置３に対する画像データおよび音声データの出力を停止する。ステップＳ９５０にて、情報端末２は、外部出力処理を終了する。具体的には、情報端末２は、テレビジョン放送受信装置３との通信セッションを終了する。
【０１０４】
次に、図１０を参照して、テレビジョン放送受信装置３の制御構造について説明する。図１０は、テレビジョン放送受信装置３が外部信号の入力を終了するときに実行する処理手順を示すフローチャートである。
【０１０５】
ステップＳ１０１０にて、テレビジョン放送受信装置３のＣＰＵ２４は、情報端末２から設定情報の受信を検知する。
【０１０６】
ステップＳ１０１５にて、ＣＰＵ２４は、設定情報の受信が成功したか否かを判断する。ここで、設定情報の受信が成功とは、情報端末２から受信したデータから設定情報が正確に読み取れたことをいう。ＣＰＵ２４は、設定情報の受信が成功したと判断すると（ステップＳ１０１５にてＹＥＳ）、制御をステップＳ１０２０に切り換える。そうでない場合には（ステップＳ１０１５にてＮＯ）、ＣＰＵ２４は、制御をステップＳ１０８０に切り換える。
【０１０７】
ステップＳ１０２０にて、ＣＰＵ２４は、外部入力を終了処理を開始する。具体的には、ステップＳ１０２５にて、ＣＰＵ２４は、情報端末２から受信した設定情報を解析して、設定情報に含まれているチャンネル情報、画質情報等を抽出する。
【０１０８】
ステップＳ１０３０にて、ＣＰＵ２４は、設定情報の解析結果に基づいて、情報端末２において選択されているチャンネルをデジタル放送チューナー部２５に選択させる。表示装置１８は、そのチャンネルの映像を表示する。
【０１０９】
ステップＳ１０３５にて、ＣＰＵ２４は、設定情報の解析結果に基づいて、字幕をＯＮに設定されているか否かを判断する。ＣＰＵ２４は、字幕がＯＮに設定されていると判断すると（ステップＳ１０３５にてＹＥＳ）、制御をステップＳ１０４０に切り換える。そうでない場合には（ステップＳ１０３５にてＮＯ）、ＣＰＵ２４は、制御をステップＳ１０４５に切り換える。
【０１１０】
ステップＳ１０４０にて、ＣＰＵ２４は、字幕をＯＮに設定する。
ステップＳ１０４５にて、ＣＰＵ２４は、受信した設定情報と設定情報保存部３３に保存されている設定情報とに基づいて、情報端末２において設定されている音量とテレビジョン放送受信装置３において設定されている音量とが同一であるか否かを判断する。これらの音量が同一である場合には（ステップＳ１０４５にてＹＥＳ）、ＣＰＵ２４は、制御をステップＳ１０５５に切り換える。そうでない場合には（ステップＳ１０４５にてＮＯ）、ＣＰＵ２４は、制御をステップＳ１０５０に切り換える。
【０１１１】
ステップＳ１０５０にて、ＣＰＵ２４は、テレビジョン放送受信装置３の音量を、情報端末２の音量と同一レベルに設定する。
【０１１２】
ステップＳ１０５５にて、ＣＰＵ２４は、受信した設定情報と、設定情報保存部３３に保存されている設定情報とに基づいて、情報端末２の画質モードと、テレビジョン放送受信装置３の画質モードとが同一であるか否かを判断する。ＣＰＵ２４は、これらの画質モードが同一であると判断すると（ステップＳ１０５５にてＹＥＳ）、制御をステップＳ１０６５に切り換える。そうでない場合には（ステップＳ１０５５にてＮＯ）、ＣＰＵ２４は、制御をステップＳ１０６０に切り換える。
【０１１３】
ステップＳ１０６０にて、ＣＰＵ２４は、テレビジョン放送受信装置３の画質モードを、情報端末２の画質モードに設定する。画像データ処理部２０は、その設定に基づいて画像データを処理して、処理後のデータを画像合成部１９に送信する。
【０１１４】
ステップＳ１０６５にて、ＣＰＵ２４は、受信した設定情報の解析結果に基づいて、３Ｄ表示モードがＯＮに設定されているか否かを判断する。ＣＰＵ２４は、３Ｄ表示モードがＯＮに設定されていると判断すると（ステップＳ１０６５にてＹＥＳ）、制御をステップＳ１０７０に切り換える。そうでない場合には（ステップＳ１０６５にてＮＯ）、ＣＰＵ２４は、制御をステップＳ１０７５に切り換える。
【０１１５】
ステップＳ１０７０にて、ＣＰＵ２４は、画像データ処理部２０に対して、３Ｄ表示モードをＯＮに設定させる。
【０１１６】
ステップＳ１０７５にて、テレビジョン放送受信装置３は、情報端末２での視聴状態と同様の視聴状態に基づいて視聴を再開する。
【０１１７】
次に、図１１を参照して、情報端末２からテレビジョン放送受信装置への外部入力が終了した時の状態について説明する。図１１は、外部入力の開始から終了までにおける情報端末２およびテレビジョン放送受信装置３の状態の変化を表わす図である。
【０１１８】
＜第１パターン＞
状態１１００において、情報端末２は、何らかのアプリケーション（たとえば、写真のスライドショー、動画の再生等）を実行している。テレビジョン放送受信装置３は、デジタル放送チューナー部２５を用いて、たとえば、１チャンネルを選局している。情報端末２とテレビジョン放送受信装置３は、電気的に接続されておらず、したがって、外部入力は行なわれていない。
【０１１９】
状態１１１０において、情報端末２とテレビジョン放送受信装置３とは、電気的に接続され、情報端末２からテレビジョン放送受信装置３への外部入力が開始される。このとき、情報端末２は、テレビジョン放送受信装置３と通信することにより、テレビジョン放送受信装置３において選局されているチャンネルを知る。情報端末２は、既に実行しているアプリケーションに加えて、デジタル放送チューナー部５を起動して、１チャンネルを表示する。また、情報端末２は、アプリケーションと１チャンネルの映像とを含む信号を、テレビジョン放送受信装置３に送信する。テレビジョン放送受信装置３は、その信号に基づいて、情報端末２において表示されている映像と同じ映像を表示する。すなわち、その映像は、実行されているアプリケーションの映像と、１チャンネルの映像とを含む。
【０１２０】
その後、外部入力が終了すると、状態１１２０として、情報端末２とテレビジョン放送受信装置３との接続が解消される。情報端末２は、当該接続が解消されたことを検知すると、１チャンネルの表示を終了し、実行中のアプリケーションの表示のみを行なう。一方、テレビジョン放送受信装置３は、当該接続の解消を検知すると、デジタル放送チューナー部２５によって選局されている１チャンネルからの信号に基づく映像を表示する。
【０１２１】
＜第２パターン＞
状態１１１０において、情報端末２のデジタル放送チューナー部５は、情報端末２のユーザの操作に基づき、チャンネルを１チャンネルから２チャンネルに切り換えると、状態１１１０は、状態１１３０に遷移する。情報端末２は、アプリケーションの映像と２チャンネルの映像とを含む信号を、テレビジョン放送受信装置３に送信する。テレビジョン放送受信装置３は、その信号に基づき、アプリケーションに基づく映像と、２チャンネルの映像とを表示する。このとき、デジタル放送チューナー部２５は、１チャンネルを選局した状態であるが、ユーザが視聴しているのは２チャンネルであることを示す情報を設定情報保存部３３に格納する。
【０１２２】
その後、状態１１４０に示されるように、情報端末２とテレビジョン放送受信装置３との接続が遮断されると、情報端末２は、デジタル放送チューナー部５の駆動を終了し、実行中のアプリケーションの映像を表示装置９に表示する。一方、テレビジョン放送受信装置３は、当該接続の遮断を検知すると、設定情報保存部３３に格納されている情報に基づいて、デジタル放送チューナー部２５に２チャンネルを選局させる。
【０１２３】
通常のテレビジョン放送受信装置は、外部入力が終了すると、内蔵しているチューナにおいて設定されたチャンネルがそのまま選局されるため、本実施の形態における１チャンネルが表示されることになる。これに対して、本実施の形態によれば、情報端末２において選択された２チャンネルが、テレビジョン放送受信装置３においても視聴可能となるため、視聴の継続性が維持される。
【０１２４】
＜第３パターン＞
状態１１１０において、情報端末２のユーザが、デジタル放送チューナー部５を用いたテレビの視聴を終了する命令を情報端末２に与えると、デジタル放送チューナー部５は、選局を終了する（状態１１５０）。情報端末２からテレビジョン放送受信装置３に送られる信号は、したがって、情報端末２が実行しているアプリケーションの映像のみとなる。テレビジョン放送受信装置３は、その信号に基づいて、アプリケーションの映像を表示する。
【０１２５】
その後、状態１１６０に示されるように、情報端末２とテレビジョン放送受信装置３との接続が遮断されると、情報端末２は、アプリケーションの映像を表示し、テレビジョン放送受信装置３は、設定情報保存部３３に格納されているデータに基づいて、デジタル放送チューナー部２５に１チャンネルを選局させる。
【０１２６】
なお、他の局面において、情報端末２は、外部入力のための接続が遮断される前に、テレビジョン放送受信装置３に対して、信号の入力源をデジタル放送チューナー部２５とするコマンドと、チャンネルを切り替えるためのコマンドを送信してもよい。これにより、テレビジョン放送受信装置３におけるチャンネルの切り替えを確実に実現することができる。
【０１２７】
＜第４パターン＞
さらに他の局面として、状態１１５０において、テレビジョン放送の視聴を終了する指示に基づいて、テレビジョン放送受信装置３の電源がオフにされてもよい（状態１１７０）。すなわち、ユーザがテレビジョン放送の視聴を終了する指示を情報端末２に与えるということは、視聴を継続する意思がないものと推認される。そこで、このような指示が情報端末２に与えられた場合には、情報端末２とテレビジョン放送受信装置３のと接続を遮断するまえに、情報端末２がテレビジョン放送受信装置３に対して、電源をオフにするコマンドを送信してもよい。このとき、デジタル放送チューナー部２５のチャンネルは、１チャンネルが選局されており、そのチャンネル情報は、設定情報保存部３３に保存される。このようにすると、テレビジョン放送受信装置３の電源がオンになった場合に、１チャンネルの映像が表示されるため、ユーザがチャンネル操作を行なう頻度が低下し得る。
【０１２８】
以上のようにして、本実施の形態に係る映像表示システム１によれば、情報端末２は、テレビジョン放送受信装置３において出力されている態様（選択されているチャンネル、画質モード、音量、３次元表示の有無）に基づいて、複数の画面を表示するための映像データを合成する。情報端末２が合成によって得られたデータをテレビジョン放送受信装置３に送信すると、テレビジョン放送受信装置３は、そのデータに基づいて、映像を表示し、音声を出力する。
【０１２９】
これにより、ある局面において、テレビジョン放送受信装置３がピクチャー・イン・ピクチャー機能に対応していない場合には、情報端末２がデジタル放送を受信し、テレビジョン放送受信装置３から得た設定情報を元に視聴中の映像を再現する。情報端末２は、さらに、当該映像と、情報端末２が表示している映像とを合成し、合成によって得られた信号を、テレビジョン放送受信装置３に出力する。これにより、テレビジョン放送受信装置３のユーザは、視聴を継続することにより外部から入力された映像を確認することができる。
【０１３０】
また、他の局面において、テレビジョン放送受信装置３がピクチャー・イン・ピクチャー機能に対応している場合において、かつ、全ての子画面にて映像が視聴されている場合（全てのチューナーが起動している場合）、情報端末２は、デジタル放送を受信し、テレビジョン放送受信装置３から受信した設定情報に基づいて、親画面で視聴中の番組を再現する。さらに、情報端末２は、表示装置９で表示されている映像と、再現した番組の映像とを合成し、合成によって得られた信号を、テレビジョン放送受信装置３に出力する。テレビジョン放送受信装置３がその信号に基づく映像を表示すると、テレビジョン放送受信装置３のユーザは、外部入力された映像を視聴することにより、全番組の視聴を継続することができる。
【０１３１】
他の局面において、情報端末２は、受信したデジタル放送に基づく映像と、情報端末２の映像とが合成された映像を出力している場合に、情報端末２のユーザのキ―入力によって得られる設定情報を保持している。情報端末２は、映像の出力を終了する時に、HDMIケーブル４その他の通信手段を用いて、その設定情報をテレビジョン放送受信装置３に送信する。これにより、情報端末２とテレビジョン放送受信装置３との接続が終了した場合であっても、テレビジョン放送受信装置３は、当該設定情報に基づいてチャンネルを選択することにより、映像を表示する。これにより、視聴状態が継続される。
【０１３２】
なお、さらに他の実施の形態において、図２のステップＳ２２０において設定情報の取得に失敗する場合がある（ステップＳ２２０にてＮＯ）。たとえば、外部出力先として情報端末２に接続されている装置がテレビジョン放送受信機能を有しておらず、単なる表示装置の場合である。このような場合には、情報端末２は、設定情報保存部３１に残っている設定情報として最後に視聴されたチャンネルを選択する。情報端末２は、そのチャンネルからの映像と、表示装置９に表示されている映像とを合成し、合成によって得られた信号を出力する。これにより、より多くの情報の外部出力が可能になり、また、情報端末２の表示装置９よりも大きな表示装置において映像を表示することができる。
【０１３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１３４】
本発明は、放送受信機能を有する装置、たとえば、携帯電話機、スマートフォン、タブレット型コンピュータ、テレビジョン受信装置等に適用可能である。
【符号の説明】
【０１３５】
１  映像表示システム、２  情報端末、３  テレビジョン放送受信装置、４  ケーブル、５，２５  デジタル放送チューナー部、６，２９  キー入力インターフェース、７，２３  合成データ生成部、９，１８  表示装置、１０，１９  画像合成部、１１，２０  画像データ処理部、１２，２１  音声データ処理部、１３，２２  制御データ処理部、１４，１７  スピーカ、１５，１６  外部接続インターフェース部、２６  リモコン入力インターフェース、２７  リモコン、２８  ネットワークインターフェース、３０，３２  ＲＡＭ、３１，３３，３１，３３  設定情報保存部、３４  インターネット。
【図１】
2013017122.tif 000003
【図２】
2013017122.tif 000004
【図３】
2013017122.tif 000005
【図４】
2013017122.tif 000006
【図５】
2013017122.tif 000007
【図６】
2013017122.tif 000008
【図７】
2013017122.tif 000009
【図８】
2013017122.tif 000010
【図９】
2013017122.tif 000011
【図１０】
2013017122.tif 000012
【図１１】
2013017122.tif 000013